【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
表示素子が接続される配線に印加する変調信号を出力する変調回路と、
前記変調信号の波形の少なくとも一部分の波高値を決定する波高値データと、前記変調信号の波形の少なくとも一部分のパルス幅を決定するパルス幅データと、を含むパラレルデータフォーマットの変調データが入力され、前記入力された変調データを、前記変調データのビット数よりも少ない数の伝送経路で伝送可能にするために、前記伝送経路の数と同じ個数のシリアルデータフォーマットのデータにシリアル化し、前記シリアル化したデータを前記伝送経路を介して前記変調回路に出力する出力回路と、
を含む表示素子の駆動回路。
【請求項２】
前記伝送経路は複数あり、
前記出力回路が、
前記複数の伝送経路の内の所定の伝送経路には、シリアル化された前記パルス幅データを出力せずにシリアル化された前記波高値データを出力し、前記所定の伝送経路以外の他の所定の伝送経路には、シリアル化された前記波高値データを出力せずにシリアル化された前記パルス幅データを出力するように構成され、
前記所定の伝送経路と前記他の所定の伝送経路の少なくともいずれかにおいて、前記波高値データを構成するデータビット及び前記パルス幅データを構成するデータビットのいずれも伝送しない時間に、当該伝送経路の信号レベルを規定するためのダミーデータとして任意のデータビットを出力するように構成されており、
前記波高値データを構成するデータビット及び前記パルス幅データを構成するデータビットのいずれも伝送しない前記時間は、一つの変調信号を発生するための前記波高値データのビット数と、該一つの変調信号を発生するための前記パルス幅データのビット数とが互いに異なっており、且つ、前記波高値データのビット数と前記パルス幅データのビット数の少なくとも一方が前記シリアルデータフォーマットのデータの時系列方向のビット数で割り切れる値でないために、生じる時間である
請求項１記載の表示素子の駆動回路。
【請求項３】
前記伝送経路は複数あり、
前記出力回路が、
前記複数の伝送経路の内の所定の伝送経路には、シリアル化された前記パルス幅データ
を出力せずにシリアル化された前記波高値データを出力し、前記所定の伝送経路以外の他の所定の伝送経路には、シリアル化された前記波高値データを出力せずにシリアル化された前記パルス幅データを出力するように構成され、 
前記所定の伝送経路において、前記波高値データを構成するデータビットを伝送しない時間に、当該伝送経路の信号レベルを規定するためのダミーデータとして任意のデータビットを出力するように構成されており、
前記波高値データを構成するデータビットを伝送しない前記時間は、一つの変調信号を発生するための前記波高値データのビット数と、該一つの変調信号を発生するための前記パルス幅データのビット数とが互いに異なっており、且つ、前記波高値データのビット数が前記シリアルデータフォーマットのデータの時系列方向のビット数で割り切れる値でないために、生じる時間であり、
前記任意のデータビットは、それぞれ値の異なる複数の前記波高値データを構成する各データビットの並びに対して同じ箇所に位置するように出力される
請求項１記載の表示素子の駆動回路。
【請求項４】
前記伝送経路は複数あり、
前記出力回路が、
前記複数の伝送経路の内の所定の伝送経路には、シリアル化された前記パルス幅データを出力せずにシリアル化された前記波高値データを出力し、前記所定の伝送経路以外の他の所定の伝送経路には、シリアル化された前記波高値データを出力せずにシリアル化された前記パルス幅データを出力するように構成され、
前記他の所定の伝送経路において、前記パルス幅データを構成するデータビットを伝送しない時間に、当該伝送経路の信号レベルを規定するためのダミーデータとして任意のデータビットを出力するように構成されており、
前記パルス幅データを構成するデータビットを伝送しない前記時間は、一つの変調信号を発生するための前記波高値データのビット数と、該一つの変調信号を発生するための前記パルス幅データのビット数とが互いに異なっており、且つ、前記パルス幅データのビット数が前記シリアルデータフォーマットのデータの時系列方向のビット数で割り切れる値でないために、生じる時間であり、
前記任意のデータビットは、それぞれ値の異なる複数の前記パルス幅データを構成する各データビットの並びに対して同じ箇所に位置するように出力される
請求項１記載の表示素子の駆動回路。
【請求項５】
前記伝送経路が、前記波高値データを構成するデータビットの少なくとも一部および前記パルス幅データを構成するデータビットの少なくとも一部を共に伝送する伝送経路を少なくとも含んでおり、
前記変調回路は、
該伝送経路を経由して伝送されるデータビットを記憶する記憶回路と、
前記記憶回路から前記波高値データを構成するデータビットを読み出して、波高値データとして出力するとともに、前記記憶回路から前記パルス幅データを構成するデータビットを読み出して、パルス幅データとして出力する制御回路と、
を含む請求項１記載の表示素子の駆動回路。
【請求項６】
前記記憶回路は、入力されるデータビットを記憶する複数の記憶素子を有しており、
前記複数の記憶素子は直列に接続されており、
各記憶素子は、新たなデータビットが入力されるのに同期して、記憶していたデータビットを直列に接続されている次の記憶素子に入力し、入力された新たなデータビットを記憶するように構成されており、
該直列に接続されている複数の記憶素子の一部の記憶素子から前記波高値データを構成するデータビットを出力し、他の一部の記憶素子から前記パルス幅データを構成するデー
タビットを出力する
請求項５記載の表示素子の駆動回路。
【請求項７】
前記波高値データは前記変調信号の最大波高値の部分の波高値を決定するデータである請求項１記載の表示素子の駆動回路。
【請求項８】
前記パルス幅データは前記変調信号の立ち下がりのタイミングを決定するデータである請求項１記載の表示素子の駆動回路。
【請求項９】
請求項１乃至８のいずれか１項の駆動回路と、
該駆動回路から出力される変調信号に従って画像を表示する表示部と、
を含む画像表示装置。
【請求項１０】
請求項９に記載の画像表示装置と、
テレビ信号を受信して該画像表示装置に画像データを供給する受信回路と、
を含むテレビジョン装置。
【手続補正２】
【補正対象書類名】明細書
【補正対象項目名】０００６
【補正方法】変更
【補正の内容】
【０００６】
本願に係わる発明の一つは以下のように構成される駆動回路の発明である。
この発明は、表示素子が接続される配線に印加する変調信号を出力する変調回路と、前記変調信号の波形の少なくとも一部分の波高値を決定する波高値データと、前記変調信号の波形の少なくとも一部分のパルス幅を決定するパルス幅データと、を含むパラレルデータフォーマットの変調データが入力され、前記入力された変調データを、前記変調データのビット数よりも少ない数の伝送経路で伝送可能にするために、前記伝送経路の数と同じ個数のシリアルデータフォーマットのデータにシリアル化し、前記シリアル化したデータを前記伝送経路を介して前記変調回路に出力する出力回路とを有することを特徴とする表示素子の駆動回路である。
【手続補正３】
【補正対象書類名】明細書
【補正対象項目名】０００８
【補正方法】変更
【補正の内容】
【０００８】
この発明において、
前記伝送経路は複数あり、
前記出力回路が、
前記複数の伝送経路の内の所定の伝送経路には、シリアル化された前記パルス幅データを出力せずにシリアル化された前記波高値データを出力し、前記所定の伝送経路以外の他の所定の伝送経路には、シリアル化された前記波高値データを出力せずにシリアル化された前記パルス幅データを出力するように構成され、
前記所定の伝送経路と前記他の所定の伝送経路の少なくともいずれかにおいて、前記波高値データを構成するデータビット及び前記パルス幅データを構成するデータビットのいずれも伝送しない時間に、当該伝送経路の信号レベルを規定するためのダミーデータとして任意のデータビットを出力するように構成されており、
前記波高値データを構成するデータビット及び前記パルス幅データを構成するデータビットのいずれも伝送しない前記時間は、一つの変調信号を発生するための前記波高値デー
タのビット数と、該一つの変調信号を発生するための前記パルス幅データのビット数とが互いに異なっており、且つ、前記波高値データのビット数と前記パルス幅データのビット数の少なくとも一方が前記シリアルデータフォーマットのデータの時系列方向のビット数で割り切れる値でないために、生じる時間である、構成を好適に採用できる。
【手続補正４】
【補正対象書類名】明細書
【補正対象項目名】００１０
【補正方法】変更
【補正の内容】
【００１０】
この発明において、
前記伝送経路は複数あり、
前記出力回路が、
前記複数の伝送経路の内の所定の伝送経路には、シリアル化された前記パルス幅データを出力せずにシリアル化された前記波高値データを出力し、前記所定の伝送経路以外の他の所定の伝送経路には、シリアル化された前記波高値データを出力せずにシリアル化された前記パルス幅データを出力するように構成され、 
前記所定の伝送経路において、前記波高値データを構成するデータビットを伝送しない時間に、当該伝送経路の信号レベルを規定するためのダミーデータとして任意のデータビットを出力するように構成されており、
前記波高値データを構成するデータビットを伝送しない前記時間は、一つの変調信号を発生するための前記波高値データのビット数と、該一つの変調信号を発生するための前記パルス幅データのビット数とが互いに異なっており、且つ、前記波高値データのビット数が前記シリアルデータフォーマットのデータの時系列方向のビット数で割り切れる値でないために、生じる時間であり、
前記任意のデータビットは、それぞれ値の異なる複数の前記波高値データを構成する各データビットの並びに対して同じ箇所に位置するように出力される、構成を好適に採用できる。
【手続補正５】
【補正対象書類名】明細書
【補正対象項目名】００１１
【補正方法】変更
【補正の内容】
【００１１】
若しくは、
前記出力回路が、
前記複数の伝送経路の内の所定の伝送経路には、シリアル化された前記パルス幅データを出力せずにシリアル化された前記波高値データを出力し、前記所定の伝送経路以外の他の所定の伝送経路には、シリアル化された前記波高値データを出力せずにシリアル化された前記パルス幅データを出力するように構成され、
前記他の所定の伝送経路において、前記パルス幅データを構成するデータビットを伝送しない時間に、当該伝送経路の信号レベルを規定するためのダミーデータとして任意のデータビットを出力するように構成されており、
前記パルス幅データを構成するデータビットを伝送しない前記時間は、一つの変調信号を発生するための前記波高値データのビット数と、該一つの変調信号を発生するための前記パルス幅データのビット数とが互いに異なっており、且つ、前記パルス幅データのビット数が前記シリアルデータフォーマットのデータの時系列方向のビット数で割り切れる値でないために、生じる時間であり、
前記任意のデータビットは、それぞれ値の異なる複数の前記パルス幅データを構成する各データビットの並びに対して同じ箇所に位置するように出力される、構成を好適に採用
できる。